(57)【要約】【課題】  コンパクトでありながら内部の眼鏡を外部衝撃から守ることができるとともに、眼鏡のスライドによってレンズの表面側及び裏面側の両面を拭いてホコリなどを取り除くことのできる眼鏡ケースを提供する。【解決手段】  折り畳み状態の眼鏡をその長手方向に沿って開口部から薄く細長い内部空間へと押し込むようにスライドさせて収容する眼鏡ケース（１）である。略長方形の硬質な第１部材（１１）と、第１部材と対向して配置され略長方形の軟質な第２部材（１２）と、第１部材及び第２部材を所定距離だけ離間させるように略長方形の長辺に沿って与えられる２つのリブ部材（４１、４２）と、略長方形の長手方向一端部にある開口と反対側の他端部において第１部材及び第２部材の間を連結する連結部材（２９）と、を含む。第２部材は内部空間に向かって延びる起毛を有する起毛部材（５）を取り付けられているとともに、第１部材には内部空間に向かって延びる少なくとも起毛部材よりも長い起毛を有する長起毛部材（６）を取り付けられている。【選択図】  図１
2011067395.tif 000002
【特許請求の範囲】
【請求項１】
折り畳み状態の眼鏡をその長手方向に沿って開口部から薄く細長い内部空間へと押し込むようにスライドさせて収容する眼鏡ケースであって、  
略長方形の硬質な第１部材と、
前記第１部材と対向して配置され略長方形の軟質な第２部材と、
前記第１部材及び前記第２部材を所定距離だけ離間させるように前記略長方形の長辺に沿って与えられる２つのリブ部材と、
前記略長方形の長手方向一端部にある前記開口と反対側の他端部において前記第１部材及び前記第２部材の間を連結する連結部材と、からなり、
前記第２部材は前記内部空間に向かって延びる起毛を有する起毛部材を取り付けられているとともに、前記第１部材には前記内部空間に向かって延びる少なくとも前記起毛部材よりも長い起毛を有する長起毛部材を取り付けられていることを特徴とする眼鏡ケース。
【請求項２】
前記起毛部材の起毛の長さと前記長起毛部材の起毛の長さとの和は、前記所定距離よりも大であることを特徴とする請求項１記載の眼鏡ケース。
【請求項３】
前記長起毛部材の起毛は、少なくとも根元側においてその先端側よりも高い剛性を有することを特徴とする請求項１又は２に記載の眼鏡ケース。
【請求項４】
前記第１部材は、略長方形の硬質な板状物を内部に収容可能な軟質な袋状体であることを特徴とする請求項１乃至３のうちの１つに記載の眼鏡ケース。
【請求項５】
前記板状物は、櫛又は定規であることを特徴とする請求項４記載の眼鏡ケース。
【請求項６】
前記リブ部材の少なくとも一方は、略棒状の硬質な柱状物を内部に収容可能な軟質な袋状体を含むことを特徴とする請求項１乃至５のうちの１つに記載の眼鏡ケース。
【請求項７】
前記柱状物は、筆記用具であることを特徴とする請求項６記載の眼鏡ケース。
【発明の詳細な説明】
【技術分野】
【０００１】
本発明は、眼鏡をその内部空間に収容する眼鏡ケースに関し、特に、折り畳み状態の眼鏡をその長手方向に沿って開口部から薄く細長い内部空間へと押し込むようにスライドさせて収容する眼鏡ケースに関する。
【背景技術】
【０００２】
一般的に眼鏡は、２枚のレンズをブリッジで接続して両レンズ間に鼻当てとなるノーズパッドを与え、更にレンズの両端部にレンズ面と垂直方向に向けて延びるテンプルと呼ばれる「つる状」の耳掛けを取り付けた構造を有している。使用時以外にあっては、テンプルの根元に設けられた蝶番によって２つのテンプルをレンズの裏面側に向けて交互に倒してその厚さを薄くできるようにしている（以下、このテンプルを倒した状態を「折り畳み状態」と称する）。この状態にある眼鏡を収容する眼鏡ケースでは、持ち運びに便利なようコンパクトでありながら、眼鏡を外部衝撃から守り得ることが求められる。
【０００３】
例えば、特許文献１では、薄く細長い内部空間を有し、開口部から眼鏡をその長手方向に沿ってスライドさせて収容できる硬質な外装からなるハードケースタイプの眼鏡ケースが開示されている。かかる眼鏡ケースでは、コンパクトながら、硬質な外装により眼鏡を外部衝撃から守ることが出来る。
【０００４】
ところで、特許文献２及び３では、眼鏡の収容に当たって収容部と眼鏡との相対的移動を利用し、レンズの表面側及び裏面側の両面を拭いてホコリなどを取り除くことの出来る眼鏡スタンド及び眼鏡カバーを開示している。一対のレンズ拭きの隙間にレンズを挿入させながら眼鏡をその長手方向と直角方向にレンズ拭きに対して相対的にスライドさせると、レンズの両面を拭いてホコリなどを取り除きながらこれを収容出来る。
【先行技術文献】
【特許文献】
【０００５】
【特許文献１】特開平８−８０２１１号公報
【特許文献２】特開２００５−２７８８０２号公報
【特許文献３】特開２００６−５８２号公報
【発明の概要】
【発明が解決しようとする課題】
【０００６】
特許文献１に開示の眼鏡ケースのように、薄く細長い内部空間を有し、開口部から眼鏡をその長手方向に沿ってスライドさせて収容できる持ち運びに便利なコンパクトな眼鏡ケースが望まれる。かかる特許文献１に開示の眼鏡ケースにおいても、眼鏡の収容にあたって、眼鏡ケースと眼鏡との相対的移動があるから、特許文献２又は３のように、これを利用してレンズの表面側及び裏面側の両面を拭いてホコリなどを取り除くことが考えられる。しかしながら、一対のレンズ拭きにレンズを挟んで眼鏡をその長手方向に相対的にスライドさせようとしても、テンプルやノーズパッドなどが干渉してしまうため、特にレンズの裏面側を拭いてホコリなどを取り除くことは出来ない。
【０００７】
本発明はかかる状況に鑑みてなされたものであって、その目的とするところは、薄く細長い内部空間を有し、開口部から眼鏡をその長手方向に沿ってスライドさせて収容出来る持ち運びに便利なコンパクトな眼鏡ケースであって、コンパクトでありながら内部の眼鏡を外部衝撃から守ることが出来るとともに、眼鏡のスライドによってレンズの表面側及び裏面側の両面を拭いてホコリなどを取り除くことの出来る眼鏡ケースを提供することにある。
【課題を解決するための手段】
【０００８】
本発明による眼鏡ケースは、折り畳み状態の眼鏡をその長手方向に沿って開口部から薄く細長い内部空間へと押し込むようにスライドさせて収容する眼鏡ケースであって、略長方形の硬質な第１部材と、前記第１部材と対向して配置され略長方形の軟質な第２部材と、前記第１部材及び前記第２部材を所定距離だけ離間させるように前記略長方形の長辺に沿って与えられる２つのリブ部材と、前記略長方形の長手方向一端部にある前記開口と反対側の他端部において前記第１部材及び前記第２部材の間を連結する連結部材と、からなり、前記第２部材は前記内部空間に向かって延びる起毛を有する起毛部材を取り付けられているとともに、前記第１部材には前記内部空間に向かって延びる少なくとも前記起毛部材よりも長い起毛を有する長起毛部材を取り付けられていることを特徴とする。
【０００９】
かかる発明によれば、折り畳み状態にある眼鏡について、眼鏡のテンプル側を硬質な第１部材に、そして眼鏡のレンズの表面側を軟質な第２部材に向けて、開口部から眼鏡ケースの内部空間へとスライドさせると、第１部材及び第２部材を厚さ方向に押し拡げながら眼鏡ケースに対して眼鏡が相対的に移動する。レンズの表面側は軟質な第２部材の起毛部材に押しつけられ、曲面を有していても全面を起毛部材に押しつけられる。そのため、眼鏡のスライドによってレンズの表面側を拭くことができてホコリなどを取り除くことができる。また、眼鏡のスライドにおいて、硬質な第１部材の長起毛部材は長い起毛を有するためかかる起毛がテンプルを回り込み、起毛の先端がレンズの裏面側に達する。つまり、レンズの裏面側を長起毛部材によって拭くことができてホコリなどを取り除くことができる。また、硬質な第１部材により曲げ変形に対して眼鏡を守ることが出来るとともに、起毛部材及び長起毛部材が緩衝材として眼鏡を外部の衝撃から守り、更に、硬質な第１部材に対して眼鏡のテンプルがスプリングとして働くため眼鏡を外部衝撃から強固に守ることができる。すなわち、コンパクトでありながら内部の眼鏡を外部衝撃から守ることが出来るとともに、眼鏡のスライドによってレンズの表面側及び裏面側の両面を拭いてホコリなどを取り除くことが出来るのである。
【００１０】
上記した発明において、前記起毛部材の起毛の長さと前記長起毛部材の起毛の長さとの和は、前記所定距離よりも大であることを特徴としてもよい。かかる発明によれば、レンズの裏面側は、硬質な第１部材に対して一定の距離を維持しながら移動するため、同部材に取り付けられた長起毛部材の先端部分に均一に押しつけられながら移動して、レンズの裏面側を特に十分に拭くことができてホコリなどを取り除くことができる。
【００１１】
上記した発明において、前記長起毛部材の起毛は、少なくとも根元側においてその先端側よりも高い剛性を有することを特徴としてもよい。かかる発明によれば、長起毛部材の起毛がテンプルなどに干渉しても大きくその位置を移動することなく、長起毛部材の先端部分によりレンズの裏面側をむら無く十分に拭くことができてホコリなどを取り除くことができる。
【００１２】
上記した発明において、前記第１部材は、略長方形の硬質な板状物を内部に収容可能な軟質な袋状体であることを特徴としてもよい。更に、この発明において、前記板状物は、櫛又は定規であることを特徴としてもよい。かかる発明によれば、上記した発明の効果を損じることなく、眼鏡に併せて板状物、例えば、櫛や定規などをコンパクトに収容し、持ち運ぶことが出来るのである。
【００１３】
上記した発明において、前記リブ部材の少なくとも一方は、略棒状の硬質な柱状物を内部に収容可能な軟質な袋状体を含むことを特徴としてもよい。更に、この発明において、前記柱状物は、筆記用具であることを特徴としてもよい。かかる発明によれば、上記した発明の効果を損じることなく、眼鏡に併せて柱状物、例えば、筆記具などをコンパクトに収容し、持ち運ぶことが出来るのである。
【図面の簡単な説明】
【００１４】
【図１】本発明による眼鏡ケースの斜視図である。
【図２】本発明による眼鏡ケースの正面図である。
【図３】本発明による眼鏡ケースの要部の断面図である。
【図４】本発明による眼鏡ケースの斜視図である。
【図５】本発明による眼鏡ケースの要部の断面図である。
【図６】本発明による眼鏡ケースの要部の断面図である。
【図７】本発明に使用される折り畳み状態にある眼鏡の側面図である。
【図８】本発明による眼鏡ケースの正面図である。
【発明を実施するための形態】
【００１５】
まず、本発明による1つの実施例である眼鏡ケースについて図１乃至図３を参照しつつ詳細に説明する。
【００１６】
図１に示すように、眼鏡ケース１は、本体１０、起毛部材５、長起毛部材６、及び、ポケット部材７などからなる。
【００１７】
図１及び図２に示す様に、本体１０は、その長手方向の一端部に開口部を有する略直方体形状の樹脂等からなる中空の一体成型品である。詳細には、上面部１１及び底面部１２は上下に離間して互いに対向し、右外側面部１３及び左外側面部１４は左右に離間して互いに対向している。背面部１５は、開口部に対向して、上面部１１及び底面部１２を連結している。右内側面部２１及び左内側面部２２は、本体１０の内側の空間を左右に並んだ３つの略直方体形状の空間に仕切っている。ここで、仕切られた３つの空間は、右から順に、右小空間３１、内部空間８、左小空間３２と称することにする。内部空間８には、眼鏡挿入口２から折り畳み状態の眼鏡をその長手方向に沿ってスライドさせて収容することができる。また、右外側面部１３、左外側面部１４、右内側面部２１及び左内側面部２２により、上面部１１と底面部１２とは所定距離だけ離間させられ、各空間の形状を維持している。
【００１８】
特に、図２に示すように、右小空間３１には、略直方体形状の緩衝体４１が同空間の長手方向に沿って挿入されている。緩衝体４１には、例えばゴムスポンジなどからなる軟質な材料を用いると好適である。この緩衝体４１の中央部には、その長手方向に沿うように円柱状の貫通孔４３が設けられている。同様に、左小空間３２には、同空間の長手方向に沿って略直方体形状の緩衝体４２が挿入されている。緩衝体４２の中央部には、その長手方向に沿うように貫通孔４４が設けられている。貫通孔４３及び４４には、筆記用具等の硬質な柱状物４５を挿入し得る（図４参照）。硬質な柱状物４５は、これを収容する軟質な緩衝体４１又は４２からなる袋状体とともに外部の衝撃から眼鏡を保護する。
【００１９】
底面部１２の内部空間８に向けた面には、起毛部材５が貼付けられている。起毛部材５は、底面部１２と内部空間８を挟んで対向する上面部１１に向けて延びる起毛５１を有する。また、上面部１１の内部空間８に向けた面には、長起毛部材６が起毛部材５と対向して貼付けられている。長起毛部材６は底面部１２に向けて延びる、起毛５１より長い長起毛６１を有する。起毛部材５及び長起毛部材６は、それぞれ合成樹脂からなる略長方形の樹脂シート５２及び６２にナイロン系繊維からなる起毛５１及び長起毛６１を植毛した部材である。
【００２０】
起毛５１及び長起毛６１は互いにその先端部を接するように、内部空間８のほぼ全域にわたり配置される。つまり、起毛５１の長さと長起毛６１の長さの和は、上面部１１と底面部１２との離間距離よりも大である。長起毛６１の根元側は、長起毛６１の先端側より高い曲げ剛性を有するようにその断面積をより大きくしている。なお、長起毛６１の先端側は、長起毛６１の根元側より低い曲げ剛性を有するように材質を変更してもよい。
【００２１】
ここで、上面部１１と底面部１２との離間する距離は、折り畳み状態の眼鏡の厚さ程度である。このため、眼鏡を内部空間８に収容する場合、底面部１２は内部空間８内に延びる起毛５１によって眼鏡の下端より下に押し下げられ、上面部１１は長起毛６１によって眼鏡の上端より上に押し上げられる。すなわち、長起毛６１及び起毛５１により上面部１１及び底面部１２は上下に押し拡げられて、折り畳み状態の眼鏡の厚さ以上に離間させられる。
【００２２】
図３に示すように、長起毛６１の根元側端部には長起毛６１と略同心に加熱圧縮などで形成された略円板形の抜け止め部６３が設けられている。長起毛６１はその先端側から樹脂シート６２を貫通し、抜け止め部６３の表面６４を樹脂シート６２に当接させて接着されている。長起毛６１は、上面部１１の底面部１２側を向いた面に抜け止め部６３の裏面６５を向けて樹脂シート６２とともに貼付けられる。起毛５１も同様に図示しない抜け止め部を設けて樹脂シート５２に接着され、底面部１２に貼付けられている。なお、起毛５１及び長起毛６１は、それぞれ樹脂シート５２及び６２と一体成型されていても良い。
【００２３】
図４に示すように、上面部１１の表側には、ポケット部材７が取り付けられる。詳細には、ポケット部材７は、樹脂シートや合成皮革などからなり、略直方体の内部空間８の上面部１１に沿って長方形に設けられる。ポケット部材７は、その周縁部をリベット等で本体１０の上面部１１に固定される。なお、上面部１１への固定方法は接着などであっても構わない。
【００２４】
ポケット部材７と上面部１１とで挟まれた隙間には、硬質な板状物３を挿入可能である。つまり、ポケット部材７及び上面部１１とからなる軟質な袋状体４に板状物３を挿入可能である。ポケット部材７は、両短辺の内の他方、すなわち眼鏡挿入口２側の短辺の中央に、ポケット部材７の中央寄りに凹んだ切れ込みを形成すると、袋状体４から板状物３を取り出し易くできて好ましい。
【００２５】
前述の通り、ポケット部材７と上面部１１とで挟まれた隙間には、硬質な板状物３を挿入し得る。かかる板状物３は、ポケット部材７に押圧されて、上面部１１及びポケット部材７に密着する。これにより、上面部１１のたわみを小さくし得る。つまり、上面部１１及びポケット部材７からなる袋状体４と、これに挿入された板状物３とによって、曲げ変形に対して眼鏡ケース１の内部を守るのである。板状物３には、櫛や定規などを使用し得る。
【００２６】
次に、使用者が眼鏡ケース１に眼鏡をスライドさせて収容する場合について図４乃至図６を参照しつつ詳細に説明する。ここで、スライドとは眼鏡ケース１に眼鏡を挿入するとき及び眼鏡ケース１から眼鏡を抜出するときの眼鏡ケース１に対する眼鏡の相対的な移動を言う。
【００２７】
折り畳み状態にある眼鏡Ｍは、その裏側（テンプルＭ２側）を上面部１１に向けて、眼鏡ケース１の長手方向に沿わせて眼鏡挿入口２からスライドされ、上面部１１及び底面部１２を厚さ方向に押し拡げながら眼鏡ケース１に対して相対的に移動される。このとき、図５に示すように、レンズＭ１は、起毛部材５及び長起毛部材６に挟まれるようにして移動する。
【００２８】
ここで、内部空間８が押し拡げられることに伴い、硬質な板状物３を収容した袋状体４は長起毛部材６を介して眼鏡Ｍを押圧する。押圧された眼鏡Ｍは、軟質な底面部１２及びこれに貼付けられた起毛部材５にそのレンズの表面Ｍ１ｈを押しつける。その結果、底面部１２及び起毛部材５は、レンズ表面Ｍ１ｈの形状に沿って変形する。これにより、起毛５１は、曲面を有するレンズ表面Ｍ１ｈのほぼ全面に亘り、その先端部を押しつけられて、眼鏡のスライドによってレンズ表面Ｍ１ｈを拭いて同面に付着するホコリや脂分などを取り除くことができる。
【００２９】
眼鏡Ｍから下方に向けて力を受ける軟質な底面部１２は、その反力としてレンズ表面Ｍ１ｈを適度に押圧する。かかる反力は、上面部１１とレンズ裏面Ｍ１ｔとの距離に影響を与えるほど大きくはない。すなわち、上面部１１とレンズ裏面Ｍ１ｔとの距離を一定に維持するように軟質な底面部１２の材質、底面部１２の厚さを選択し得るのである。よって、眼鏡Ｍは、そのレンズ裏面Ｍ１ｔを上面部１１に沿って一定の距離に維持しながら移動し得る。また、眼鏡のスライドにおいて、上面部１１に貼り付けられた長起毛部材６の長起毛６１は、その長さ故にテンプルＭ２を回り込み、長起毛６１の先端がレンズ裏面Ｍ１ｔに達する。したがって、長起毛６１によってレンズ裏面Ｍ１ｔを拭くことができて同面に付着するホコリや脂分などを取り除くことができる。
【００３０】
ここで、レンズＭ１を平面と仮定した場合に、レンズＭ１の両面に起毛５１及び長起毛６１を当接させて拭くとき、以下の関係式が成立する。
Ｌ１＋Ｌ２≧Ｈ＋ｄ−ｔ
ここで、上式の各記号の意味は次の通りである。
Ｌ１：起毛５１の長さ（底面部１２上面から起毛５１先端までの長さ）
Ｌ２：長起毛６１の長さ（上面部１１下面から長起毛６１先端までの長さ）
Ｈ：眼鏡Ｍを収容する前の上面部１１と底面部１２との離間する距離
ｄ：眼鏡Ｍを収容した場合の底面部１２の下方への撓み量
ｔ：レンズＭ１の厚さ
【００３１】
眼鏡Ｍを収容する前において起毛５１の先端と長起毛６１の先端が接する場合、起毛５１と長起毛６１の長さの和が上面部１１と底面部１２との離間する距離と等しくなる。即ち、Ｌ１＋Ｌ２＝Ｈとなり、ｄ≦ｔが成り立つ。つまり底面部１２の下方への撓み量ｄはレンズＭ１の厚さｔ以下となる。
【００３２】
他方、起毛５１と長起毛６１の長さの合計が距離Ｈよりも大である場合には、長起毛６１の先端側をレンズ裏面Ｍ１ｔに当接させるための余裕を長起毛６１に与えることができる。この場合、上面部１１に対して一定の距離を維持しながら移動するレンズ裏面Ｍ１ｔに対して、長起毛６１の先端を均一に押しつけることができる。したがって、レンズ裏面Ｍ１ｔを特に十分に拭くことができてレンズ裏面Ｍ１ｔに付着するホコリや脂分などを取り除くことができるのである。
【００３３】
長起毛６１の拡大図である図６（ａ）に示すように、眼鏡Ｍの長手方向に沿って延在するテンプルＭ２は、レンズ裏面Ｍ１ｔより上面部１１に近い位置を通過する。ここで、長起毛６１は、抜け止め部６３の向きを変えないように上面部１１に強固に接着されて固定されている。そのため、長起毛６１の根元側は高い曲げ剛性を有し、テンプルＭ２がその根元側近傍を移動する際に長起毛６１を押し倒そうとする力をその根元側に与えても、長起毛６１の根元側はテンプルＭ２をスライド方向（図面奥方向）に対して横方向に避けるようにして起立した状態を維持し得る。これにより、長起毛６１の先端側のレンズ裏面Ｍ１ｔへの接触が保たれる。長起毛６１の先端側は曲げ剛性が低いため、レンズ裏面Ｍ１ｔに沿って曲がり、レンズ裏面Ｍ１ｔを良好に拭いていくのである。つまり、テンプルＭ２に根元側を接触させても長起毛６１はその先端側の位置を大きく移動することなく、レンズ裏面Ｍ１ｔをむら無く十分に拭くことができて同面に付着するホコリなどを取り除くことができる。
【００３４】
テンプルＭ２の先端側にある耳当てＭ５は、その先端部にテンプルＭ２の長手方向に対して略垂直で、且つスライド方向を横切る方向に延在する屈曲部を有している（図４参照）。図７に示すように、耳当てＭ５の先端部はテンプルＭ２より眼鏡Ｍのレンズ裏面Ｍ１ｔに近い位置にある。よって、図６（ｂ）に示すように、耳当てＭ５の先端部はテンプルＭ２に比べて上面部１１より遠い位置を通過する。すなわち耳当てＭ５の先端部は長起毛６１の先端側を通過する。長起毛６１の先端側は低い曲げ剛性を有するので耳当て５の先端部によって押し倒される。このため、眼鏡Ｍのスライドに際し、長起毛６１の先端側は、スライド方向を横切って延在する耳当てＭ５の先端部を容易に通過させる。その他、レンズＭ１の縁部やノーズパッドＭ６（図４、図５又は図７参照）などのスライド方向を横切る部位についても、いずれも長起毛６１の先端側を通過するため、眼鏡Ｍは容易にスライドし得る。
【００３５】
以上のことから、本実施例において、眼鏡Ｍのスライドによってレンズ表面Ｍ１ｈ及びレンズ裏面Ｍ１ｔの両面を拭いて両面に付着するホコリなどを良好に取り除くことができる。また、上面部１１及びポケット部材７からなる袋状体４と、これに収容された硬質な板状物３により曲げ変形に対して眼鏡Ｍを守ることが出来るとともに、起毛部材５及び長起毛部材６が緩衝材として眼鏡Ｍを外部の衝撃から守るのである。更に、硬質な板状物３に密着した上面部１１に対して眼鏡のテンプルＭ２がスプリングとして働くため眼鏡を外部衝撃から強固に守ることができる。すなわち、コンパクトでありながら内部の眼鏡Ｍを外部衝撃から守ることが出来る。
【００３６】
また、筆記用具等の柱状物４５を貫通孔４３及び／又は４４に挿入することにより、上記した効果を損じることなく、眼鏡Ｍに併せて柱状物４５、例えば、筆記用具などをコンパクトに眼鏡ケース１に収容し、持ち運ぶことができる。
【００３７】
更に、ポケット部材７及び上面部１１からなる軟質な袋状体４に板状物３を挿入することにより、上記した効果を損じることなく、眼鏡Ｍに併せて板状物３、例えば櫛や定規などをコンパクトに眼鏡ケース１に収容し、持ち運ぶことができる。
【００３８】
なお、図８（ａ）に示すように、眼鏡ケース１は、テンプルＭ２及び蝶番Ｍ３の通過する部分の少なくとも一部において、長起毛６１を取り除いても良い。また、図８（ｂ）に示すように、テンプルＭ２及び蝶番Ｍ３の通過する部分の少なくとも一部において長起毛６１の長さを短くしても良い。これにより、眼鏡Ｍをスライドさせる場合において、眼鏡Ｍのスライド方向に対して左右の方向における眼鏡Ｍの位置を安定させ得て眼鏡Ｍを容易にスライドさせ得るとともに、これによってレンズＭ１の両面を安定して拭くことができて、ホコリや脂分などを良好に取り除くことが出来る。
【００３９】
以上、本発明による代表的実施例を説明したが、本発明は必ずしもこれに限定されるものではなく、当業者であれば、本発明の主旨又は添付した請求項の範囲を逸脱することなく種々の代替実施例及び改変例を見出すことができる。
【符号の説明】
【００４０】
１          眼鏡ケース
３          板状物
４          袋状体
５          起毛部材
６          長起毛部材
１１        上面部
１２        底面部
４５        柱状物
５１        起毛
５２、６２  樹脂シート
６１        長起毛
Ｍ          眼鏡
Ｍ２        テンプル
【図１】
2011067395.tif 000003
【図２】
2011067395.tif 000004
【図３】
2011067395.tif 000005
【図４】
2011067395.tif 000006
【図５】
2011067395.tif 000007
【図６】
2011067395.tif 000008
【図７】
2011067395.tif 000009
【図８】
2011067395.tif 000010